(57)【要約】【課題】  ＡＤＦのみを装備した読取装置として構成することで、読取装置の構成を簡素化できるとともに、装置フレームに対してＡＤＦをヒンジを介して支持し、ジャム除去とメンテナンスを容易に行い得るようにする。【解決手段】  画像読取装置２０は、コントロールパネル４７を設けた上部フレーム２１に対して、リヤ側のヒンジ部４５を用いて、ＡＤＦ３０をプラテン２２に対して位置させ、ピン部材４３により位置決め可能にしている。原稿トレイ４０と排出トレイ４１とを、上部フレームに固定して設け、前記プラテン２２に対応させて、固定した状態で読取装置を設けて、ＡＤＦの原稿搬送路を案内される原稿の読み取りを行うようにする。【選択図】          図３
2005266431.tif 000002
【特許請求の範囲】
【請求項１】
画像形成装置に組み合わせて設けられ、読取装置に組み合わせて設けられる原稿搬送装置であって、
前記原稿搬送装置には、シートものの原稿を搬送する搬送装置と、
前記原稿搬送装置に対応させて、画像形成装置の装置本体の上部に設けられる読取装置には、画像読取装置を固定位置に設け、
前記原稿搬送装置を移動させて、前記画像読取装置の上部に設けるプラテンの部分を露出可能に構成したことを特徴とする原稿搬送装置。
【請求項２】
前記画像読取装置の上部で、プラテンのリヤ側の側部に設けるヒンジ手段を用いて前記原稿搬送装置を支持し、
前記プラテンのフロント側では、前記画像読取装置の上部に位置決めピンを突出させて設け、
前記原稿搬送装置の本体フレームに設けたピン用孔に、前記位置決めピンを組み合わせるように構成したことを特徴とする請求項１に記載の原稿搬送装置。
【請求項３】
前記原稿搬送装置の本体フレームとは別体に、原稿トレイと排出トレイを読取装置のフレームに対して支持させ、
前記画像読取装置の上部フレームに対して、原稿搬送装置のみを開閉可能に設けたことを特徴とする請求項１または２に記載の原稿搬送装置。
【発明の詳細な説明】
【技術分野】
【０００１】
本発明は、画像形成装置に組み合わせて設ける読取装置に関し、特に、読取装置本体の固定位置に設けた走査装置に対して原稿搬送装置を設け、前記原稿搬送装置を読取装置に対して揺動可能に設け、プラテンを露出可能に設けた装置に関する。
【背景技術】
【０００２】
従来より、ＡＤＦ（自動原稿搬送装置）のような原稿搬送装置を画像記録装置と一体に設けて、ＡＤＦにより搬送される原稿の画像を、読取装置により読み取って、その走査情報を用いて、記録紙を作成する装置が一般に用いられている。前記ＡＤＦを設けた画像読取装置においては、走査情報がデジタル信号として出力されるものであるから、そのデジタル情報をそのままＦＡＸ（ファクシミリ）機能を用いて、遠隔地のＦＡＸに向けて送信ることができる。また、前記デジタル情報を画像記録装置に向けて伝達して、感光体ドラムに対する書込み情報として用いることも、一般的に行われていることである。（例えば、特許文献１を参照）。
【特許文献１】特開平１１−１０６０８６号公報
【発明の開示】
【発明が解決しようとする課題】
【０００３】
前記従来例に示される画像形成装置のように、画像読取装置に対して設けるＡＤＦ機能に加えて、ＦＢＳ（フラットベッドスキャナ）機能を設けることが、その画像読取装置の用途を拡大するために、一般的な技術手段とされている。ところが、装置を小型化することや、原稿としてシートのようなもののみを用いることを想定する画像形成装置においては、前記ＦＢＳ機能を設けずに、ＡＤＦのみを設けることが求められる場合がある。しかしながら、前述したような要望にしたがって、機能を単純化した原稿搬送装置をＡＤＦに設ける場合には、従来の画像読取装置のように、走査装置をプラテンの下面に沿わせて往復移動させることは必要とされないことから、走査フレームの上に大プラテンを設けることもなく、フレーム内部で走査装置を移動させる機構を設けることも必要とされない。そこで、機能を少なくできる画像読取装置に対して、単純にＡＤＦ機能のみを設けたことに付随させて、読取装置の構造を単純化して設けた場合に、プラテンに対するメンテナンスや、ＡＤＦ内部での原稿搬送の機能を点検するためには、従来のＦＢＳを複合した装置とは異なる態様の、メンテナンスに対する機能を設けることが要求される。
【０００４】
本発明は、画像読取装置としてＡＤＦ機能のみを設けた装置において、ＡＤＦの原稿搬送装置に対するメンテナンスと。ジャム処理等の作業を容易に行い得る装置を提供することを目的としている。
【課題を解決するための手段】
【０００５】
本発明は、画像形成装置に組み合わせて設けられ、読取装置に組み合わせて設けられる原稿搬送装置に関する。
請求項１の発明は、前記原稿搬送装置には、シートものの原稿を搬送する搬送装置と、前記原稿搬送装置に対応させて、画像形成装置の装置本体の上部に設けられる読取装置には、画像読取装置を固定位置に設け、
前記原稿搬送装置を移動させて、前記画像読取装置の上部に設けるプラテンの部分を露出可能に構成したことを特徴とする。
【０００６】
請求項２の発明は、前記画像読取装置の上部で、プラテンのリヤ側の側部に設けるヒンジ手段を用いて前記原稿搬送装置を支持し、
前記プラテンのフロント側では、前記画像読取装置の上部に位置決めピンを突出させて設け、
前記原稿搬送装置の本体フレームに設けたピン用孔に、前記位置決めピンを組み合わせるように構成したことを特徴とする。
【０００７】
請求項３の発明は、前記原稿搬送装置の本体フレームとは別体に、原稿トレイと排出トレイを読取装置のフレームに対して支持させ、
前記画像読取装置の上部フレームに対して、原稿搬送装置のみを開閉可能に設けたことを特徴とする。
【発明の効果】
【０００８】
前述したように構成したことにより、原稿搬送装置としてのＡＤＦおいては、読取装置のフレームの上で、ＡＤＦをヒンジを介して揺動させることができ、プラテンの汚れの清掃等を容易に行うことができる。また、前記ＡＤＦ本体に対して、原稿トレイと排出トレイとを別体に設けたことにより、ヒンジを用いて支持する部材を限定することができ、位置決め手段の構成を簡素化することが可能となる。そして、ＡＤＦの原稿搬送路出のジャム処理や、その他のメンテナンスの作業を容易に行い得て、ＡＤＦの構造を簡素化することができる。
【発明を実施するための最良の形態】
【０００９】
以下に説明する読取装置と組み合わせた画像形成装置としては、デジタル方式の画像形成装置の他に、ＦＡＸ装置または両機能を複合した装置に対しても、ＡＤＦ機能を適用することが可能である。また、画像形成装置と組み合わせずに、画像読取装置を単独の装置として構成することも可能であり、そのようなＡＤＦを用いた読取装置として、単独の装置を構成する場合には、パソコン等の画像情報を利用する装置に接続することの他に、画像形成装置に組み合わせて情報の入力手段としても用いることが可能とされる。
【実施例】
【００１０】
図１および図２に示す本発明の第１の実施例において、画像読取装置２０は画像形成装置１の装置本体２の上部に設けられる上部フレーム２１の内部で、走査装置２５を固定位置に設けている。前記走査装置２５の上部では、原稿の画像面が搬送される際に、その画像面が摺動されるプラテン２２を設けており、前記プラテン２２に対応させて、原稿搬送路を設けたＡＤＦ３０を設けている。前記ＡＤＦ３０に関しては、図２に示す例にしたがって後で説明するが、前記画像読取装置２０の下部には、画像形成装置の装置本体が設けられている。前記画像形成装置本体２の下部に設ける給紙部３には、１つまたは複数個の給紙トレイ４を装着して一般に用いられている画像形成装置の場合と同様に、任意の給紙トレイから給紙可能に構成することができる。
【００１１】
図示する例では、給紙部３には１つの給紙カセット４を装備して、給紙ローラ５により用紙を用紙搬送路６に向けて送り出し、記録部１０に向けて給紙可能としている。前記用紙搬送路６には、その用紙搬送路の長さと最小サイズの用紙の長さに対応させて、所定の間隔を持って搬送ローラ装置７、８を配置している。前記給紙トレイ４から送り出された用紙は、画像記録部の上流部の搬送ローラ装置８に先端が突き当てられ、下流部の搬送ローラ装置７により余分な送り作用が付与され、ループを形成して、整合された状態で停止保持される。そして、感光体ドラムにトナー画像が形成されるタイミングにしたがって、搬送ローラ装置８が駆動されて、画像記録に向けて搬送される。
【００１２】
前記記録部１０には、一般的な電子写真方式を用いた装置の場合と同様に、感光体ドラム１１の周囲に、その回転方向に沿って、帯電部材１４と書込部材１５、および、転写ローラ１６を順次配置している。また、前記感光体ドラム１１の回転方向に対して、前記書込部材１５の下流部には、現像装置１２を設けており、現像ローラ１３が感光体ドラム１１に対応させて露出されている。前記記録部１０においては、感光体ドラム１１の表面に帯電部材１４により一様な帯電を行わせてから、書込部材１５により画像の光を照射して静電潜像を形成し、その静電潜像に対して現像ローラ１３からトナーを供給して、トナー画像として可視像化する。
【００１３】
前記トナー画像は、用紙を転写ローラ１６の間にニップしながら搬送する際に、前記転写ローラ１６から所定の値の電圧を印加することにより、用紙に転写する。また、前記感光体ドラム１１に形成したトナー画像を用紙に転写した後で、転写されずに残留するトナーは、図示を省略するメモリ除去部材により、掻き取られる等の清掃作用が付与される。前記トナー画像が転写された用紙は、定着装置１７を通って定着され、排出ローラ装置１８により、図示を省略する排出トレイに排出される。
【００１４】
前述したように構成された装置本体２に対して、その上部に配置される画像読取装置２０は、ＡＤＦ３０と組み合わせた走査装置２５を、上部フレーム２１の固定位置に設けている。前記走査装置２５は、図示されるように、複数のミラー２７……とレンズ２８、ＣＣＤ２９を１つのユニットとして構成しているもので、上部フレーム２１の端部付近で、プラテン２２に対応させた位置に固定して設けている。そして、前記走査装置２５においては、プラテン２２に画像面を摺動させながら移動される原稿に対して、ランプ２６から光を照射して、その反射光を複数のミラー２７……により反射させるようにして、所定の長さの光路を設定し、レンズ２８によりＣＣＤ２９に結像させて、原稿に反射した光情報をデジタル情報として出力させる。
【００１５】
前記走査装置２５に対応させて、原稿を搬送するＡＤＦ３０は、図２に詳細に説明するように、原稿トレイ４０と排出トレイ４１とを、上部フレーム２１の上に固定して設けている。これに対して、前記ＡＤＦ本体はリヤ側を支点として、フロント側が大きく開閉され得るように支持されているが、その詳細な構成に関しては後述する。前記ＡＤＦ３０には、横向きの略Ｕ字状に構成された原稿搬送路３７の入口部に、原稿トレイ４０にセットした原稿を取り出すためのピックアップローラ３４と、搬送ローラ３５とさばきパッド３６を組み合わせた用紙さばき装置を配置している。なお、前記用紙さばき装置としては、従来公知の、駆動ローラとリタードローラとを組み合わせたさばきローラ装置のような、任意の構成の装置を用いることも可能である。
【００１６】
前記ＡＤＦ３０に設ける原稿搬送路３７には、プラテン２２の上流部に搬送ローラ装置３８を設けており、読取り部での原稿の定速搬送を可能とし、排出ローラ装置３９により排出トレイ４１に向けて排出させるようにする。前記排出トレイ４１は、図３に見られるように、上部フレーム２１の中に任意の深さで掘り込む状態で、多数枚の原稿を収容可能に構成することが可能であり、取り出しの動作を良好に行い得るように、任意の取り出し部の形状を設定することができる。また、前記原稿トレイ４０を上部フレームに対して支持させるためには、原稿の搬送される方向の両側、つまり、フロント側とリヤ側とに、立ち上げた脚部材を用いて、その上に原稿トレイ４０を固定支持させるようにする等の、任意の支持方式を用いることが可能である。
【００１７】
前記画像読取装置２０において、上部フレーム２１の上部では、ＡＤＦ３０をリヤ側に配置するヒンジ部４５を介して、フロント側を大きく開き得るように設けている。なお、前記上部フレーム２１には、そのフロント側にコントロールパネル４７を設けており、前記コントロールパネル４７に設けた操作ボタンを用いて、画像読取装置２０による原稿の画像の走査と、画像形成装置による記録紙の作成の動作とを、任意にコントロールできるようにしている。なお、前記コントロールパネル４７には、画像形成装置と一体に組み合わせる場合には、画像形成装置の制御を行い得るように構成するが、前記画像読取装置２０を単独の読取装置として構成する場合には、単純に、画像読取装置の操作のための入力ボタンを配置して、操作部を構成することも可能である。
【００１８】
前記ＡＤＦ３０を支持するための機構としては、図３に示すように構成されているもので、ＡＤＦ３０の本体３１には、そのリヤ側の端部をヒンジ部４５により支持し、上部フレーム２１の上面に設けているプラテン２２を大きく露出させ得るように構成する。前記ＡＤＦ３０を上部フレーム２１に対して組み合わせるために、前記ヒンジ部４５の他に、フロント側には上部フレームから位置決めピン４３を突出させて設けており、前記位置決めピン４３に対応させて、ＡＤＦ３０にはピン孔４４を設けている。
【００１９】
また、前記ＡＤＦ３０の原稿搬送路に配置する搬送ローラ装置に対して、前記プラテン２２の側部には、上部フレーム２１の表面に凹部３３を設けておき、搬送ローラ装置を下部に配置した状態でも、原稿を搬送する作用を良好に行い得るようにしている。そして、前記ＡＤＦを開いてプラテン２２を清掃する等のメンテナンスを行った後で、前記ＡＤＦ３０を閉じて、位置決めピン４３に対してピン孔４４を組み合わせるのみで、プラテン２２に対す原稿搬送路を容易に位置決めすることができる。
【００２０】
前述したように構成してなるＡＤＦ３０において、装置本体３１に設けている原稿搬送路３７に対しては、カバー部材３２をヒンジ３３を介して開くことができるように構成している。したがって、原稿搬送路内での原稿のジャム処理や、搬送ローラ装置に対するメンテナンスの他に、図示していない原稿搬送路で、そのガイド板等に対する障害が発生した場合等には、前記カバー部材３２を開いて処理することが可能となる。その他に、用紙さばき装置におけるローラやパッドのメンテナンスに際しても、前記カバー部材を開いて容易に手を触れたりすることができる。
【図面の簡単な説明】
【００２１】
【図１】画像形成装置の構成を示す説明図である。
【図２】ＡＤＦの構成を示す説明図である。
【図３】画像読取装置のＡＤＦを開いた状態の説明図である。
【符号の説明】
【００２２】
１    画像形成装置、  ２    装置本体、  ３    給紙部、  ４    給紙トレイ、
５    給紙ローラ、  ６    用紙搬送路、  １０    記録部、１１    感光体ドラム、  １２    現像装置、  １３    現像ローラ、  １４    帯電部材、
１５    書込装置、  １６    転写ローラ、  １７    定着装置、
１８    排出ローラ装置、  ２０    画像読取装置、  ２１    上部フレーム、
２２    プラテン、  ２３    凹部、  ２５    走査装置、  ２６    ランプ、
２７    ミラー、  ２８    レンズ、  ２８    ＣＣＤ、  ３０    ＡＤＦ、
３１    ＡＤＦ本体、  ３２    カバー部材、  ３３    ヒンジ、
３４    ピックアップローラ、  ３５    さばきローラ、  ３６    パッド、
３７    原稿搬送路、  ３８    搬送ローラ装置、  ３９    排出ローラ装置、
４０    原稿トレイ、  ４１    排出トレイ、  ４３    位置決めピン、
４４    ピン用孔、  ４５    ヒンジ部、  ４７    コントロールパネル。
【図１】
2005266431.tif 000003
【図２】
2005266431.tif 000004
【図３】
2005266431.tif 000005